(57)【要約】【課題】電波干渉による通話品質の低下を抑制できる通信装置および通信システムを提供すること。【解決手段】通話時には、無線ＬＡＮによる無線通信２０２を停止することにより、無線ＬＡＮ送受信部１６とＤＣＬ送受信部２０との間の電波干渉による通話品質の低下を抑制できる。そして、子機６０から送られてくるＦＡＸ送信データの送信指示を受信すると、ＢＯＸ１０は、無線ＬＡＮ接続要求をＭＦＰ３０へ送信し、ＭＦＰ３０との間に無線ＬＡＮリンクをはる。そして、無線ＬＡＮ送受信部１６による無線通信２０２により通信可能となったＭＦＰ３０に対し、ＦＡＸ送信データを要求する。したがって、ユーザの意思とは無関係にＢＯＸ１０とＭＦＰ３０との間の無線通信２０２が開始されて、電波干渉により通話品質が低下してしまうという事態の発生を抑制できる。【選択図】図１
2011114748.tif 000002
【特許請求の範囲】
【請求項１】
子機との間の無線通信によりデータを送受するための第１接続手段と、外部装置へ送信するデータを処理する処理装置との間の無線通信によりデータを送受するための第２接続手段と、通信網との間を接続する第３接続手段と、前記第３接続手段により接続される前記通信網を介した前記外部装置との間の接続状態を制御する通信制御手段とを備える通信装置であって、
前記第２接続手段による前記処理装置との間の無線通信を停止する第２接続停止手段と、
前記第２接続停止手段により前記処理装置との間の無線通信を停止した状態において、前記第１接続手段により無線通信可能な子機と、前記通信制御手段により通信可能な接続状態にある前記外部装置との間の通話を中継する中継手段と、
前記中継手段により通話が中継される前記子機におけるユーザ操作に基づき、前記子機から送信データの送信指示が送られてくると、前記外部装置との間における通信可能な接続状態を維持しつつ、前記子機と前記外部装置との間の通話の中継を停止し、且つ、前記第２接続停止手段により停止された前記処理装置との間の無線通信を開始する切替手段と、
前記切替手段により前記第２接続手段による無線通信が可能となった前記処理装置に対して送信データを要求する要求手段と、
前記要求手段による要求に応答した前記処理装置から前記第２接続手段による無線通信で送られてくる前記送信データを受信する受信手段と、
前記受信手段により受信した前記送信データを、通信可能な接続状態が維持された前記外部装置へ送信する送信手段とを備えることを特徴とする通信装置。
【請求項２】
前記切替手段は、
前記中継手段による前記子機と前記外部装置との間の通話の中継を停止する中継停止手段と、
前記第２接続手段による前記処理装置との間の無線通信が可能かを判断する第２接続判断手段とを備え、
前記中継手段は、
前記第２接続判断手段により前記処理装置との間の無線通信が不可能であると判断される場合、前記中継停止手段により停止された前記子機と前記外部装置との間の通話の中継を再開する通話再開手段を備えることを特徴とする請求項１記載の通信装置。
【請求項３】
前記要求手段は、通信可能な接続状態が維持された前記外部装置を特定する特定データを指定して、前記処理装置へ前記送信データを要求するものである請求項１または２に記載の通信装置。
【請求項４】
前記処理装置は、送信先の外部装置を特定する特定データが対応づけられた前記送信データをメモリから読み出し、前記要求手段による要求に応答して、前記送信データを送出するものであり、
前記受信手段は、前記メモリに記憶された前記送信データのうち、前記要求手段により指定した特定データと等しい特定データが対応づけられた前記送信データを受信するものである請求項３記載の通信装置。
【請求項５】
前記処理装置は、前記要求手段により指定された前記特定データと等しい特定データが対応づけられた前記送信データが前記メモリに記憶されていない場合、原稿を読み取り、その読み取った原稿に基づく送信データを作成する新規データ作成手段を備えるものであり、
前記受信手段は、前記新規データ作成手段により作成された前記送信データを、前記処理装置から受信するものである請求項４記載の通信装置。
【請求項６】
前記受信手段により前記処理装置から前記送信データを受信する場合、前記第１接続手段による無線通信により、前記子機に対して、受信した前記送信データまたは前記送信データに対応付けられた識別データを通知する通知手段を備え、
前記送信手段は、前記通知手段により前記子機に対して通知した前記送信データまたは前記識別データのうち、前記子機において選択された送信データまたは前記子機において選択された識別データに対応づけられた送信データを送信するものである請求項１から５のいずれかに記載の通信装置。
【請求項７】
前記通知手段は、特定データが対応づけられた前記送信データがメモリに複数件記憶されている場合、前記中継手段により通話が中継される前記子機に対して、前記受信手段により受信した前記送信データまたは前記送信データに対応づけられた識別データを記述したリストを通知するものである請求項６記載の通信装置。
【請求項８】
前記中継手段により通話が中継される前記子機から前記送信データの送信指示を受信した後、前記送信手段による前記送信データの送信を開始するまでの間に、通信可能な接続状態が維持された前記外部装置に対してメッセージを送出するメッセージ送出手段を備える請求項１から７のいずれかに記載の通信装置。
【請求項９】
前記受信手段により前記送信データの受信を完了することを条件として、前記メッセージ送出手段により前記外部装置に対して送出するメッセージを変更するメッセージ変更手段を備えることを特徴とする請求項８記載の通信装置。
【請求項１０】
子機との間の無線通信によりデータを送受するための第１接続手段と、外部装置へ送信するデータを処理する処理装置との間の無線通信によりデータを送受するための第２接続手段と、通信網との間を接続する第３接続手段と、前記第３接続手段により接続される前記通信網を介した前記外部装置との間の接続状態を制御する通信制御手段とを備える通信装置と、前記処理装置とを含む通信システムであって、
前記通信装置は、
前記第２接続手段による前記処理装置との間の無線通信を停止する第２接続停止手段と、
前記第２接続停止手段により前記処理装置との間の無線通信を停止した状態において、前記第１接続手段により無線通信可能な子機と、前記通信制御手段により通信可能な接続状態にある前記外部装置との間の通話を中継する中継手段と、
前記中継手段により通話が中継される前記子機におけるユーザ操作に基づき、前記子機から送信データの送信指示が送られてくると、前記外部装置との間における通信可能な接続状態を維持しつつ、前記子機と前記外部装置との間の通話の中継を停止し、且つ、前記第２接続停止手段により停止された前記処理装置との間の無線通信を開始する切替手段と、
前記切替手段により前記第２接続手段による無線通信が可能となった前記処理装置に対して送信データを要求する要求手段と、
前記要求手段による要求に応答した前記処理装置から前記第２接続手段による無線通信で送られてくる前記送信データを受信する受信手段と、
前記受信手段により受信した前記送信データを、通信可能な接続状態が維持された前記外部装置へ送信する送信手段とを備え、
前記処理装置は、
前記要求手段による要求に応答して、前記送信データを前記通信装置に対して送出する送出手段を備えるものである通信システム。
【発明の詳細な説明】
【技術分野】
【０００１】
本発明は、通信装置および通信システムに関するものである。
【背景技術】
【０００２】
特許文献１に開示された通信システムは、コードレス電話機能とファクシミリ通信機能とを有する通信ＢＯＸと、この通信ＢＯＸに無線接続されたコードレス子機と、無線ＬＡＮによって通信ＢＯＸに接続された複合機とを含む。この通信システムにおいて、通信ＢＯＸは、複合機から画像データが送られてくると、公衆回線を介しその画像データを外部装置へファクシミリ送信する。
【先行技術文献】
【特許文献】
【０００３】
【特許文献１】特開２００７−８９０４１号公報
【発明の概要】
【発明が解決しようとする課題】
【０００４】
しかしながら、通信ＢＯＸにおいて、コードレス子機との間の無線通信と、複合機との間の無線通信とが電波干渉する場合があり、その電波干渉が原因で、コードレス子機による通話品質が低下するおそれがあった。
【０００５】
本発明は、上記問題点を解決するためになされたものであり、電波干渉による通話品質の低下を抑制できる通信装置および通信システムを提供することを目的としている。
【課題を解決するための手段】
【０００６】
この目的を達成するために、本発明の通信装置は、子機との間の無線通信によりデータを送受するための第１接続手段と、外部装置へ送信するデータを処理する処理装置との間の無線通信によりデータを送受するための第２接続手段と、通信網との間を接続する第３接続手段と、前記第３接続手段により接続される前記通信網を介した前記外部装置との間の接続状態を制御する通信制御手段とを備えるものであって、前記第２接続手段による前記処理装置との間の無線通信を停止する第２接続停止手段と、前記第２接続停止手段により前記処理装置との間の無線通信を停止した状態において、前記第１接続手段により無線通信可能な子機と、前記通信制御手段により通信可能な接続状態にある前記外部装置との間の通話を中継する中継手段と、前記中継手段により通話が中継される前記子機におけるユーザ操作に基づき、前記子機から送信データの送信指示が送られてくると、前記外部装置との間における通信可能な接続状態を維持しつつ、前記子機と前記外部装置との間の通話の中継を停止し、且つ、前記第２接続停止手段により停止された前記処理装置との間の無線通信を開始する切替手段と、前記切替手段により前記第２接続手段による無線通信が可能となった前記処理装置に対して送信データを要求する要求手段と、前記要求手段による要求に応答した前記処理装置から前記第２接続手段による無線通信で送られてくる前記送信データを受信する受信手段と、前記受信手段により受信した前記送信データを、通信可能な接続状態が維持された前記外部装置へ送信する送信手段とを備える。
【０００７】
なお、本発明は、通信装置、該通信装置を制御する通信制御装置、通信方法、通信装置を制御する通信制御プログラム、該通信制御プログラムを記録する記録媒体等の種々の態様で構成することができる。
【発明の効果】
【０００８】
請求項１記載の通信装置によれば、第２接続手段による処理装置との間の無線通信を停止した状態において、第１接続手段により無線通信可能な子機と、通信制御手段により通信可能な接続状態にある外部装置との間の通話が中継されるので、第１接続手段と第２接続手段との間の電波干渉による通話品質の低下を抑制できるという効果がある。また、ユーザにとっては、子機を用いて通話することで相手先の外部装置を認識することができる。そして、その上で子機を操作することにより、通信装置と処理装置との間の無線通信を開始させ、通信装置から通話の相手先の外部装置への送信データの送信を指示することができる。したがって、ユーザの意思とは無関係に通信装置と処理装置との間の無線通信が開始され、電波干渉により通話品質が低下してしまうという事態の発生を抑制できるという効果がある。
【０００９】
請求項２記載の通信装置によれば、請求項１記載の通信装置の奏する効果に加え、処理装置との間の無線通信が不可能であると判断される場合は、子機と外部装置との間の通話の中継が再開されるので、ユーザは通話の相手先に対し、自機側の状況や事情を口頭で伝えることができるという効果がある。
【００１０】
請求項３記載の通信装置によれば、請求項１または２に記載の通信装置の奏する効果に加え、特定データを指定して送信データが要求されるので、処理装置から通信装置へ適切な送信データを送信することができ、誤送信の発生を抑制できるという効果がある。
【００１１】
請求項４記載の通信装置によれば、請求項３記載の通信装置の奏する効果に加え、指定した特定データと等しい特定データが対応づけられた送信データを処理装置から受信するので、通話の相手先の外部装置に送信すべき送信データを受信できるという効果がある。
【００１２】
請求項５記載の通信装置によれば、請求項４記載の通信装置の奏する効果に加え、指定された特定データと等しい特定データが対応づけられた送信データがメモリに記憶されていない場合には、処理装置において原稿が読み取られ、その読み取った原稿に基づく送信データが作成される。そして通信装置においては、その送信データを処理装置から受信することができるので、新たに作成された送信データを、通話の相手先の外部装置へ送信することができるという効果がある。
【００１３】
請求項６記載の通信装置によれば、請求項１から５のいずれかに記載の通信装置の奏する効果に加え、子機において選択された送信データまたは子機において選択された識別データに対応づけられた送信データが送信されるので、通話の相手先である外部装置に送信すべき送信データを、子機においてユーザに選択させることができるという効果がある。
【００１４】
請求項７記載の通信装置によれば、請求項６記載の通信装置の奏する効果に加え、特定データが対応づけられた送信データがメモリに複数件記憶されている場合、複数件の送信データの中から、送信すべき送信データを子機において選択させることができるという効果がある。
【００１５】
請求項８記載の通信装置によれば、請求項１から７のいずれかに記載の通信装置の奏する効果に加え、通信可能な接続状態が維持された前記外部装置に対してメッセージが送出されるので、子機側の通話者が通話を止めた後、外部装置側の通話者が誤ってオンフックをしてしまうことを抑制できるという効果がある。
【００１６】
請求項９記載の通信装置によれば、請求項８記載の通信装置の奏する効果に加え、処理装置から送られてくる送信データの受信を通信装置において完了したことを、メッセージの変更により外部装置側の通話者に知らせることができるという効果がある。
【００１７】
請求項１０記載の通信システムによれば、請求項１記載の通信装置と同様の作用効果を奏する。
【図面の簡単な説明】
【００１８】
【図１】本発明の通信装置の一例であるＢＯＸと、ＭＦＰおよび子機を含む通信システムの電気的構成を示したブロック図である。
【図２】通信システムにおいて実現されるＦＡＸ送信機能のシーケンスの一例を示す概略図である。
【図３】ＢＯＸのＣＰＵによって実行されるＦＡＸ送信処理を示すフローチャートの一部である。
【図４】ＢＯＸのＣＰＵによって実行されるＦＡＸ送信処理を示すフローチャートの一部である。
【図５】子機のＣＰＵによって実行されるＦＡＸ手動送信処理を示すフローチャートである。
【図６】ＭＦＰのＣＰＵによって実行されるＦＡＸモード処理を示すフローチャートである。
【図７】（ａ）は、第２実施形態の子機が実行するＦＡＸ手動送信処理の一部を示すフローチャートであり、（ｂ）は、第２実施形態のＢＯＸが実行するＦＡＸ送信処理の一部を示すフローチャートであり、（ｃ）は、第２実施形態のＭＦＰが実行するＦＡＸモード処理の一部を示すフローチャートである。
【発明を実施するための形態】
【００１９】
以下、本発明の好ましい実施形態について、添付図面を参照して説明する。図１は、本発明の通信装置の一実施形態である回線制御装置（以下「ＢＯＸ」と称す）１０と、多機能周辺装置（以下、「ＭＦＰ」と称す）３０と、子機６０とを含む通信システム１の電気的構成を示したブロック図である。ＢＯＸ１０は、電話回線網１００を使用した通信の制御を行う通信装置である。ＭＦＰ３０は、プリンタ機能、スキャナ機能、コピー機能、ＦＡＸ機能などを備え、外部装置へ送信するデータ（以下、ＦＡＸ送信データと称する）を作成する。子機６０は、電話回線網１００を介し外部装置との間で通話を行うデジタルコードレス電話機である。
【００２０】
このＢＯＸ１０は、ＭＦＰ３０との間で無線通信２０２を行い、子機６０との間で無線通信２０３を行うが、電波干渉による通話品質の低下を抑制できるように構成されている。なお、本実施形態のＢＯＸ１０は、電話回線網１００を利用したＧ３ＦＡＸによりデータの送受を行うものとして説明するが、ＢＯＸ１０は、Ｇ４ＦＡＸ、ＩＰＦＡＸやＩｎｔｅｒｎｅｔＦＡＸによりＦＡＸ送信を行うものであっても良い。
【００２１】
ＢＯＸ１０には、ＣＰＵ１１、ＲＯＭ１２、ＲＡＭ１３、ＥＥＰＲＯＭ１４、無線ＬＡＮ送受信部１６、無線ＬＡＮアンテナ部１７、モデム１８、電話回線接続部１９、デジタルコードレス電話（ＤＣＬ）送受信部２０、ＤＣＬアンテナ部２１、パネル２２、ボタン入力部２３が設けられている。これらの構成要素は、入出力ポート１５を介して互いに通信可能に接続されている。
【００２２】
ＣＰＵ１１は、ＲＯＭ１２等に記憶される固定値やプログラム或いは、無線通信２０２，２０３を介して送受信される各種信号に従って、入出力ポート１５と接続された各部を制御する。ＲＯＭ１２は、書換不能なメモリであって、図３，図４を参照して後述する処理を実行するためのプログラムなどが格納されている。ＲＡＭ１３は、書換可能な揮発性のメモリである。ＥＥＰＲＯＭ１４は、書換可能な不揮発性のメモリである。
【００２３】
無線ＬＡＮ送受信部１６は、ＩＥＥＥ８０２．１１ｂ/ｇの規格に準拠した無線ＬＡＮにより、２．４ＧＨｚ帯を利用した無線通信２０２を行うための回路である。この無線ＬＡＮ送受信部１６により、ＭＦＰ３０との間がデータ通信可能に接続され、無線ＬＡＮアンテナ部１７を介して、各種のデータを構成するデジタル信号が送受信される。モデム１８は、ＦＡＸ機能によって送信するＦＡＸ送信データを、電話回線網１００に伝送可能な信号に変調して電話回線接続部１９を介して送信したり、電話回線網１００から電話回線接続部１９を介して入力された信号を受信し、画像データへ復調するものである。電話回線接続部１９は、電話回線網１００とＢＯＸ１０との間を接続するものであり、モデム１８からの指示に従って、回線を閉結または切断することにより、電話回線網１００を介した外部装置との間の接続状態を制御する。
【００２４】
ＤＣＬ送受信部２０は、２．４ＧＨｚ帯のデジタル方式の無線通信２０３により、ＤＣＬアンテナ部２１を介し、子機６０との間で制御データ及び音声データを送受するための無線回路である。パネル２２は、ＢＯＸ１０の各種機能情報を表示する。ボタン入力部２３は、ＢＯＸ１０の各機能を実行するためのキー群である。
【００２５】
ＭＦＰ３０には、ＣＰＵ３１、ＲＯＭ３２、ＲＡＭ３３、ＥＥＰＲＯＭ３４、無線ＬＡＮ送受信部３６、無線ＬＡＮアンテナ部３７、プリンタ３８、スキャナ３９、パネル４０、ボタン入力部４１が設けられる。これらの構成要素は、入出力ポート３５を介して互いに通信可能に接続されている。
【００２６】
ＣＰＵ３１は、ＲＯＭ３２等に記憶される固定値やプログラム或いは、無線ＬＡＮ送受信部３６を介して送受信される各種信号に従って、各機能の制御や、入出力ポート３５と接続された各部を制御する。
【００２７】
ＲＯＭ３２は、ＭＦＰ３０で実行される制御プログラムなどを格納した書換不能なメモリであって、図６を参照して後述する処理を実行するプログラムなどが格納されている。ＲＡＭ３３は、書換可能な揮発性のメモリである。ＥＥＰＲＯＭ３４は、書換可能な不揮発性のメモリであり、手動送信待ちテーブル３４ａが設けられる。手動送信待ちテーブル３４ａについては、図２を参照して後述する。無線ＬＡＮ送受信部３６は上述した無線ＬＡＮ送受信部１６と同様に構成された回路であり、ＢＯＸ１０との間に無線ＬＡＮ接続を形成する。
【００２８】
プリンタ３８は印刷を実行するものであり、スキャナ３９は原稿の読み取りを実行するものである。パネル４０は、ＭＦＰ３０の各種機能情報を表示するものである。ボタン入力部４１は、ＭＦＰ３０の各機能を実行するためのキー群である。
【００２９】
子機６０には、ＣＰＵ６１、ＲＯＭ６２、ＤＣＬ送受信部６４、ＤＣＬアンテナ部６５、パネル６６、ボタン入力部６７が設けられる。これらの構成要素は、入出力ポート６３を介して互いに通信可能に接続されている。
【００３０】
ＣＰＵ６１は、ＲＯＭ６２等に記憶される固定値やプログラム或いは、ＤＣＬ送受信部６４を介して送受信される各種信号に従って、各機能の制御や、入出力ポート６３と接続された各部を制御する。
【００３１】
ＲＯＭ６２は、子機６０で実行される制御プログラムなどを格納した書換不能なメモリであって、図５を参照して後述する処理を実行するプログラムなどが格納されている。ＤＣＬ送受信部６４は上述したＤＣＬ送受信部２０と同様に構成され、ＢＯＸ１０との間の無線通信２０３を行う。パネル６６は、子機６０の各種機能情報を表示するものである。ボタン入力部６７は、子機６０の各機能を実行するためのキー群である。
【００３２】
なお、通信システム１のＢＯＸ１０には複数台のＭＦＰ３０を接続可能である。また、ＢＯＸ１０のＤＣＬ送受信部２０は、複数台の子機６０の各々とＢＯＸ１０との間を無線通信２０３により接続可能である。
【００３３】
図２は、通信システム１において実現されるＦＡＸ送信機能のシーケンスの一例を示す概略図である。なお、図２に示す各処理の詳細は図３から図６を参照して後述する。
【００３４】
まず、ユーザが子機６０において、発呼先電話番号を設定し発呼指示を行うと、ユーザにより設定された発呼先電話番号が子機６０からＢＯＸ１０へ通知され、発呼指示が行われる［１］。子機６０から発呼指示を受信すると、ＢＯＸ１０は、ＭＦＰ３０へ無線ＬＡＮ接続断指示を送信すると共に［２］、自機においても、無線ＬＡＮ送受信部１６からのデータ送信を停止する。一方、無線ＬＡＮ接続断指示を受信したＭＦＰ３０は、無線ＬＡＮ送受信部３６によるデータ送信を停止する。その結果、ＢＯＸ１０とＭＦＰ３０との間の無線通信２０２が停止される。
【００３５】
次に、ＢＯＸ１０は、電話回線接続部１９により回線を閉結して発呼信号を送出し［３］、発呼先電話番号を送出することにより［４］、発呼先電話番号で特定される外部装置へ発呼する。そして、ＢＯＸ１０は、子機待機モードから子機通話モードへ移行する。
【００３６】
相手先の外部装置が呼び出しに応答することにより、外部装置との間が通信可能な接続状態とされると、ＢＯＸ１０は、ＤＣＬ送受信部２０により無線通信可能な子機６０と、電話回線接続部１９により通信可能な接続状態にある外部装置との間の通話を中継する［５］。すなわち、通話時には、無線ＬＡＮによる無線通信２０２を停止することにより、無線ＬＡＮ送受信部１６とＤＣＬ送受信部２０との間の電波干渉による通話品質の低下を抑制できる。ＢＯＸ１０を小型化した場合は特に、無線ＬＡＮ送受信部１６とＤＣＬ送受信部２０とを近づけて配置しなければならず、電波干渉が問題となりやすいが、本実施形態のＢＯＸ１０であれば、電波干渉の発生を確実に抑制できる。
【００３７】
なお、「通信可能な接続状態」とは、一方の装置の呼び出しに他方の装置が応答することにより装置間に伝送路が確保され、装置間において双方向通信可能な状態であることを意味している。特に、本実施形態では、一方の装置からの呼び出しに対して、他方の装置が回線を閉結することにより、双方の装置において回線が閉結された状態にある場合を、「通信可能な接続状態」と称する。
【００３８】
次に、子機６０に設けられたＦＡＸ送信ボタンをユーザが押下する操作を行うと、子機６０からＢＯＸ１０へＦＡＸ送信データの送信指示が送られる［６］。子機６０から送られてくるＦＡＸ送信データの送信指示を受信すると、ＢＯＸ１０は、外部装置との間における通信可能な接続状態を維持しつつ、子機通話モードから子機待機モードに移行する。子機待機モードへ移行した後、ＢＯＸ１０は、電話回線網１００と子機６０との間における音声データの送受を中継しない。すなわち、ＢＯＸ１０は、子機６０と外部装置との間の通話の中継を停止するが、回線を閉結したままとする。
【００３９】
次に、ＢＯＸ１０は、無線ＬＡＮ接続要求をＭＦＰ３０へ送信し［７］、ＭＦＰ３０との間に無線ＬＡＮリンクをはる。すなわち、子機６０から発呼指示を受けたことに基づいて停止した無線通信２０２を再開する。そして、無線ＬＡＮ送受信部１６による無線通信２０２により通信可能となったＭＦＰ３０に対し、ＦＡＸ送信データを要求する［８］。ここで、ＢＯＸ１０は、発呼先電話番号（通信可能な接続状態が維持された外部装置のＦＡＸ電話番号）を指定して、ＭＦＰ３０へＦＡＸ送信データを要求する。
【００４０】
ＭＦＰ３０には、手動送信待ちテーブル３４ａが設けられている。ＭＦＰ３０において、ユーザは、スキャナ３９により原稿を読み取ることにより、ＭＦＰ３０にＦＡＸ送信データを作成させ、通話をしてからＦＡＸ送信データを送信する「手動送信」か、通話せずにＦＡＸ送信データを送信する「自動送信」のいずれかを選択し、且つ、ＦＡＸ電話番号を入力することができる。ユーザにより「手動送信」が選択された場合、ＭＦＰ３０は、「１」に設定した手動送信待ちフラグと、ユーザにより入力されたＦＡＸ電話番号とを、新たに作成されたＦＡＸ送信データに対応付け、この手動送信待ちテーブル３４ａに登録する。なお、ＦＡＸ送信データと、手動送信フラグと、ＦＡＸ電話番号とからなるデータを、１件分のデータとする。同報送信すべきＦＡＸ送信データには、１件のデータにつき、ＦＡＸ電話番号が複数個、対応づけられて記憶されていても良い。
【００４１】
ＭＰＦ３０は、手動送信待ちテーブル３４ａに記憶されているＦＡＸ送信データのうち、ＢＯＸ１０から指定された発呼先電話番号と等しいＦＡＸ電話番号が対応づけられたＦＡＸ送信データを手動送信待ちテーブル３４ａから読み出し、ＢＯＸ１０へ送出する［９］。一方、ＢＯＸ１０は、ＭＦＰ３０からＦＡＸ送信データを受信すると、受信したＦＡＸ送信データを、通信可能な接続状態が維持された外部装置へ送信する［１０］。
【００４２】
よって、ユーザにとっては、まず、子機６０を用いて通話することで相手先の外部装置を認識した上で、子機６０においてＦＡＸ送信ボタンを押下することにより、通話の相手先の外部装置へのＦＡＸ送信データの送信をＢＯＸ１０へ指示することができる。最初に通話を行っているので、誤った相手先へ送信データを送信してしまうという誤送信の発生を抑制できる。また、ＦＡＸ送信の指示を子機６０から行うことができるので、子機６０で通話をしていた場所からＭＦＰ３０の設置場所までユーザ自身が移動する必要はなく、ユーザの負担を軽減できる。
【００４３】
また、ＢＯＸ１０がＭＦＰ３０からＦＡＸ送信データを受信し、さらに外部装置へ送信するまでの間、通話の相手先の外部装置との間の通信可能な接続状態は維持されたままであるので、再度発呼からやり直す必要がなく、処理の迅速性および電話料金の節約という点で効果がある。
【００４４】
図３は、ＢＯＸ１０のＣＰＵ１１が実行するＦＡＸ送信処理を示すフローチャートである。このＦＡＸ送信処理は、ＦＡＸ送信機能を実現するための処理であり、ＢＯＸ１０の電源投入後、繰り返し実行される。
【００４５】
まず、ＣＰＵ１１は、子機６０から発呼指示と発呼先電話番号とを受信したか否かを判断する（Ｓ３０２）。Ｓ３０２の判断が否定される場合（Ｓ３０２：Ｎｏ）、処理を待機するが、Ｓ３０２の判断が肯定される場合（Ｓ３０２：Ｙｅｓ）、ＣＰＵ１１は、ＭＦＰ３０へ無線ＬＡＮ接続断を指示し（Ｓ３０４）、無線ＬＡＮ送受信部１６によるデータ送信を停止して、無線ＬＡＮ接続を断つ（Ｓ３０６）。すなわち、無線通信２０２を停止する。
【００４６】
次に、ＣＰＵ１１は、受信した発呼先電話番号へダイヤルする（Ｓ３０８）。そして、ＣＰＵ１１は、ＢＯＸ１０を子機待機モードから子機通話モードへ移行させる（Ｓ３１０）。なお、子機通話モードとは、音声パスおよび音量を設定して、子機６０と電話回線網１００との間の音声データの送受を可能としたモードであり、子機待機モードとは、子機６０と電話回線網１００との間の音声データの送受を不可能としたモードである。子機通話モードにおいて、ＢＯＸ１０は、子機と外部装置との間における音声データの送受を中継し、通話を中継することができる。
【００４７】
次に、ＣＰＵ１１は、電話回線からビジートーンを検出したか否かを判断する（Ｓ３１２）。Ｓ３１２の判断が肯定される場合（Ｓ３１２：Ｙｅｓ）、すなわち、被呼側の外部装置が通話を終了した場合、ＣＰＵ１１は、子機６０へ回線接続断を通知し（Ｓ３１４）、ＢＯＸ１０を子機通話モードから子機待機モードへ移行させ（Ｓ３１６）、回線接続を断ち（Ｓ３１８）、処理を終了する。
【００４８】
一方、Ｓ３１２の判断が否定される場合（Ｓ３１２：Ｎｏ）、ＣＰＵ１１は、子機６０から回線断の指示が送られてきたか否かを判断する（Ｓ３２０）。Ｓ３２０の判断が肯定される場合（Ｓ３２０：Ｙｅｓ）、ＣＰＵ１１は、Ｓ３１６に移行して子機待機モードへ移行し、回線接続を断ち、処理を終了する。
【００４９】
一方、Ｓ３２０の判断が否定される場合（Ｓ３２０：Ｎｏ）、次に、ＣＰＵ１１は、子機６０からＦＡＸ送信データの送信指示が送られてきたか否かを判断する（Ｓ３２２）。Ｓ３２２の判断が否定される場合（Ｓ３２２：Ｎｏ）、ＣＰＵ１１は、Ｓ３１２に戻り処理を繰り返す。すなわち、子機６０と外部装置との間の通話の中継を継続する。
【００５０】
一方、Ｓ３２２の判断が肯定される場合（Ｓ３２２：Ｙｅｓ）、ＣＰＵ１１は、子機通話モードから子機待機モードへ移行する（Ｓ３２４）。これにより、ＢＯＸ１０は、子機６０と外部装置との間の通話の中継を停止するが、回線は切断せず、通話の相手先である外部装置との間を、通信可能な接続状態に保つ。
【００５１】
次に、ＣＰＵ１１は、電話回線網１００へ応答メッセージ（以下、ＯＧＭと称する）、例えば、「ＦＡＸを送信します。しばらくそのままでお待ち下さい」を音声データとして送出する（Ｓ３２６）。すなわち、ＢＯＸ１０は、子機６０からＦＡＸ送信データの送信指示を受信した後、ＦＡＸ送信データの送信を開始するまでの間、ＯＧＭを送出する。このＯＧＭは、通信可能な接続状態が維持された外部装置の受話器から出力される。したがって、子機６０側の通話者が通話を止めた後、被呼側の外部装置の通話者が、回線接続が切れたと誤って認識し、オンフックをしてしまうことを抑制できる。
【００５２】
次に、ＣＰＵ１１は、無線ＬＡＮ接続要求をＭＦＰ３０へ送信し、ＭＦＰ３０との間に無線ＬＡＮリンクをはる（Ｓ３２８）。この処理には、ＩＰアドレスの取得を要するので、比較的時間がかかる場合があり得るが、ＢＯＸ１０から相手先の外部装置へ、ＯＧＭを継続的に送出し続けることにより、誤ってオンフックされてしまうことを回避できる。
【００５３】
そして、ＣＰＵ１１は、ＭＦＰ３０から応答があったか否かを判断する（Ｓ３３０）。すなわち、無線ＬＡＮ送受信部１６によるＭＦＰ３０との間の無線通信２０２が可能であるか否かを判断する。Ｓ３３０の判断が否定される場合（Ｓ３３０：Ｎｏ）、すなわち、ＭＦＰ３０との間の無線通信２０２が不可能な場合、ＣＰＵ１１は、電話回線網１００へのＯＧＭの送出を停止する（Ｓ３３２）。そして、ＣＰＵ１１は、子機６０へ無線ＬＡＮ接続の失敗を通知し（Ｓ３３４）、子機通話モードに移行し（Ｓ３３６）、Ｓ３１２の処理に戻る。
【００５４】
このようにすれば、ＭＦＰ３０の電源がオフとなっている、または、他の機器との間の電波干渉などが原因で、ＭＦＰ３０との間の無線通信２０２が不可能であると判断される場合、Ｓ３２４の処理により停止された子機６０と外部装置との間の通話の中継を再開することができる。よって、ユーザは、例えば「ＭＦＰの電源がオフになっていて、すぐにはＦＡＸ送信できない」など、自機側の状況や事情を口頭で、通話の相手先に伝えることができる。
【００５５】
一方、Ｓ３３０の判断が肯定される場合（Ｓ３３０：Ｙｅｓ）、ＣＰＵ１１は、図４に示すＳ３３８の処理へ移行する。
【００５６】
図４は、図３に示すＦＡＸ送信処理の続きを示すフローチャートである。まず、ＣＰＵ１１は、発呼先電話番号（すなわち、通信可能な接続状態が保たれている外部装置のＦＡＸ電話番号）を指定して、ＭＦＰ３０へＦＡＸ送信データの送信を要求する（Ｓ３３８）。
【００５７】
次に、ＣＰＵ１１は、ＭＦＰ３０から送られてくるＦＡＸ送信データを受信する（Ｓ３４０）。ここでＢＯＸ１０が受信するＦＡＸ送信データは、手動送信待ちテーブル３４ａに記憶されたＦＡＸ送信データのうち、先に指定した発呼先電話番号と等しいＦＡＸ電話番号が対応づけられたＦＡＸ送信データである。すなわち、通話の相手先の外部装置に対して送信すべきＦＡＸ送信データである。
【００５８】
次に、ＣＰＵ１１は、ＦＡＸ送信中であることを子機６０へ通知し（Ｓ３４２）、ＭＦＰ３０からのＦＡＸ送信データの受信を完了すると（Ｓ３４３）、外部装置へ送出するＯＧＭを、例えば、「お待たせしました」に変更して送出する（Ｓ３４４）。ＦＡＸ送信データの受信を完了することを条件として、外部装置に送出するメッセージを変更するので、ＢＯＸ１０におけるＦＡＸ送信データの送信準備の完了を、被呼側の通話者に知らせることができる。したがって、被呼側の通話者は、このＯＧＭの変更に基づいて、例えば、ＦＡＸ送信データがまもなく自機へ送られてくると予想することができる。または、被呼側の外部装置にＦＡＸ受信開始ボタンが設けられている場合には、ＯＧＭが変更されたことを確認してからＦＡＸ受信開始ボタンを押下することにより、ＢＯＸ１０からのＦＡＸ送信データの受信を開始することができる。
【００５９】
次に、ＣＰＵ１１は、ＯＧＭの送出を中止する（Ｓ３４６）。そして、ＭＦＰ３０から受信したＦＡＸ送信データの送信を開始する（Ｓ３４８）。ＭＦＰ３０から複数件分のＦＡＸ送信データを受信した場合、ＢＯＸ１０は、受信したＦＡＸ送信データを全て外部装置へ送信する。換言すれば、指定した発呼先電話番号と等しいＦＡＸ電話番号に対応づけて、手動送信待ちテーブル３４ａに記憶されていた全てのＦＡＸ送信データを、当該外部装置へ送信する。なお、フローチャートには図示していないが、ＢＯＸ１０は、被呼側の外部装置からＦＡＸ送信開始の指示が送られてくることを条件として、ＦＡＸ送信データの送信を開始するように構成されても良い。
【００６０】
次に、ＣＰＵ１１は、ＦＡＸ送信中であることを、無線通信２０２を介してＭＦＰ３０へ通知する（Ｓ３５０）。そして、ＣＰＵ１１は、ＦＡＸ送信が終了したか否かを判断し（Ｓ３５２）、Ｓ３５２の判断が否定される場合は（Ｓ３５２：Ｎｏ）、ＦＡＸ送信データの送信を継続する。一方、Ｓ３５２の判断が肯定される場合（Ｓ３５２：Ｙｅｓ）、ＣＰＵ１１は、ＦＡＸ送信完了を、無線通信２０２を介してＭＦＰ３０へ通知する（Ｓ３５４）。また、ＣＰＵ１１は、ＦＡＸ送信完了を、無線通信２０３を介して子機６０へ通知し（Ｓ３５６）、処理を終了する。
【００６１】
ＦＡＸ送信処理によれば、ＢＯＸ１０は、発呼先電話番号を指定してＭＦＰ３０へＦＡＸ送信データを要求するので、通話の相手先の外部装置へ送信すべき適切なＦＡＸ送信データをＭＦＰ３０から受信することができ、通話先の相手先の外部装置に送信すべきＦＡＸ送信データを送信することができ、誤送信の発生を抑制できる。
【００６２】
図５は、子機６０のＣＰＵ６１が実行するＦＡＸ手動送信処理を示すフローチャートである。このＦＡＸ手動送信処理は、まず、ユーザに外部装置との間で通話を行わせ、次に、ユーザによりＦＡＸ送信ボタンが押下された場合には、ＦＡＸ送信データの送信をＢＯＸ１０に指示する処理である。この処理は、子機６０の電源投入後、繰り返し実行される。
【００６３】
まず、ＣＰＵ６１は、ダイヤル入力があったか否かを判断する（Ｓ５０２）。ユーザは、子機６０に設けられた押しボタンの操作、または子機６０に記憶された電話帳を用いて、発呼したい外部装置のＦＡＸ電話番号をダイヤル入力する。
【００６４】
Ｓ５０２の判断が肯定される場合（Ｓ５０２：Ｙｅｓ）、ＣＰＵ６１は、ダイヤル入力されたＦＡＸ電話番号を発呼先電話番号として設定する（Ｓ５０４）。一方、Ｓ５０２の判断が否定される場合（Ｓ５０２：Ｎｏ）、ＣＰＵ６１は、Ｓ５０４の処理をスキップする。
【００６５】
次に、ＣＰＵ６１は、子機６０に設けられた外線通話キーが押下されたか否かを判断する（Ｓ５０８）。Ｓ５０８の判断が否定される場合（Ｓ５０８：Ｎｏ）、ＣＰＵ６１は、Ｓ５０２に戻り処理を繰り返す。一方、Ｓ５０８の判断が肯定される場合（Ｓ５０８：Ｙｅｓ）、ＣＰＵ６１は、設定した発呼先電話番号をＢＯＸ１０へ通知し、発呼指示を行う（Ｓ５１０）。
【００６６】
次に、ＣＰＵ６１は、子機６０の送話器からの音声入力および受話器からの音声出力をオンにした通話モードに子機６０を移行させる（Ｓ５１２）。これにより、子機６０は、ＢＯＸ１０を介して、外部装置との間で通話が可能な状態となる。次に、ＣＰＵ６１は、パネル６６にメッセージ「ＦＡＸ送信しますか」を表示する（Ｓ５１４）。これにより、ＭＦＰ３０において原稿の読み取りを行ってから、長い時間が経過し、送信すべきＦＡＸ送信データがあったこと自体をユーザが忘れてしまっている場合であっても、その存在を思い出させることができる。
【００６７】
次に、ＣＰＵ６１は、子機６０に設けられた切りボタンが押下されたか否かを判断する（Ｓ５１６）。Ｓ５１６の判断が肯定される場合（Ｓ５１６：Ｙｅｓ）、ＣＰＵ６１は、ＢＯＸ１０へ回線断を指示する（Ｓ５１８）。そして、ＣＰＵ６１は、子機６０の送話器からの音声入力および受話器からの音声出力をオフとする待機モードへ子機６０を移行させ（Ｓ５２０）、処理を終了する。
【００６８】
一方、Ｓ５１６の判断が否定される場合（Ｓ５１６：Ｎｏ）、ＣＰＵ６１は、ＢＯＸ１０から回線接続断通知を受信したか否かを判断する（Ｓ５２２）。Ｓ５２２の判断が肯定される場合（Ｓ５２２：Ｙｅｓ）、ＣＰＵ６１は、Ｓ５２０の処理へ移行し、通話を終了させる。
【００６９】
一方、Ｓ５２２の判断が否定される場合（Ｓ５２２：Ｎｏ）、次に、ＣＰＵ６１は、子機６０に設けられたＦＡＸ送信ボタンが押下されたか否かを判断する（Ｓ５２４）。Ｓ５２４の判断が否定される場合（Ｓ５２４：Ｎｏ）、ＣＰＵ６１は、Ｓ５１６に戻り処理を繰り返す。一方、Ｓ５２４の判断が肯定される場合（Ｓ５２４：Ｙｅｓ）、ＣＰＵ６１は、ＢＯＸ１０へＦＡＸ送信指示を行う（Ｓ５２６）。
【００７０】
次に、ＣＰＵ６１は、子機６０を通話モードから待機モードへ移行させる（Ｓ５２８）。すなわち、ＢＯＸ１０は、ＦＡＸ送信データの送信に回線を使用するので、これ以降は、子機６０と外部装置との間の通話の中継を停止するのである。
【００７１】
次に、ＣＰＵ６１は、無線ＬＡＮ接続の失敗がＢＯＸ１０から通知されたか否かを判断する（Ｓ５３０）。Ｓ５３０の判断が肯定される場合（Ｓ５３０：Ｙｅｓ）、ＣＰＵ６１は、子機６０のパネル６６に、メッセージ「ＭＦＰの電源を入れて下さい」「ＦＡＸ送信しますか」を表示させる（Ｓ５３２）。
【００７２】
次に、ＣＰＵ６１は、子機６０のスピーカ（図示せず）から呼び出し音を鳴動させ（Ｓ５３４）、子機６０を通話モードへ移行させる（Ｓ５３６）。このようにすれば、ＢＯＸ１０とＭＦＰ３０との間の無線通信２０２が不可能な場合、子機６０による外部装置との間の通話を再開させることができる。そして、ＣＰＵ６１は、Ｓ５１６の処理に戻り、処理を繰り返す。
【００７３】
一方、Ｓ５３０の判断が否定される場合（Ｓ５３０：Ｎｏ）、次に、ＣＰＵ６１は、外部装置へＦＡＸ送信中であることが、ＢＯＸ１０から通知されたか否かを判断する（Ｓ５３８）。Ｓ５３８の判断が否定される場合（Ｓ５３８：Ｎｏ）、ＣＰＵ６１は処理を待機する。
【００７４】
Ｓ５３８の判断が肯定される場合（Ｓ５３８：Ｙｅｓ）、ＣＰＵ６１は、子機６０のパネル６６にメッセージ「ＦＡＸ送信中」を表示する（Ｓ５４０）。そして、ＣＰＵ６１は、ＢＯＸ１０からＦＡＸ送信完了の通知を受信すると（Ｓ５４２）、パネル６６にメッセージ「ＦＡＸ送信完了」を表示し（Ｓ５４４）、図示しないスピーカから報知音を出力させ（Ｓ５４６）、処理を終了する。
【００７５】
図６は、ＭＦＰ３０のＣＰＵ３１が実行するＦＡＸモード処理を示すフローチャートである。このＦＡＸモード処理は、ＦＡＸ送信データをＭＦＰ３０からＢＯＸ１０へ送信する処理であり、ＭＦＰ３０の電源投入後、繰り返し実行される。
【００７６】
なお、このフローチャートでは図示を省略しているが、ユーザは、任意の時点において、ＭＦＰ３０のスキャナ３９により原稿を読み取り、ＭＦＰ３０のボタン入力部４１によりＦＡＸ電話番号を入力することにより、ＦＡＸ送信データに、ＦＡＸ電話番号と、「１」に設定した手動送信フラグとを対応づけて、手動送信待ちテーブル３４ａ（図２）に登録しておくことができる。
【００７７】
このＦＡＸモード処理では、まず、ＣＰＵ３１は、ＢＯＸ１０から無線ＬＡＮ接続断が指示されたか否かを判断する（Ｓ６０４）。Ｓ６０４の判断が否定される場合（Ｓ６０４：Ｎｏ）、ＣＰＵ３１は処理を待機する。一方、Ｓ６０４の判断が肯定される場合（Ｓ６０４：Ｙｅｓ）、ＣＰＵ３１は、無線ＬＡＮ送受信部３６によるデータ送信を停止する。その結果、ＢＯＸ１０とＭＦＰ３０との間の無線ＬＡＮ接続が断たれる（Ｓ６０６）。すなわち、無線通信２０２を停止する。
【００７８】
次に、ＢＯＸ１０から無線ＬＡＮ接続要求があったか否かを判断する（Ｓ６０８）。Ｓ６０８の判断が否定される場合（Ｓ６０８：Ｎｏ）、ＣＰＵ３１は処理を待機する。一方、Ｓ６０８の判断が肯定される場合（Ｓ６０８：Ｙｅｓ）、ＣＰＵ３１は、無線ＬＡＮ送受信部３６によるデータ送信を再開し、ＢＯＸ１０との間に無線ＬＡＮリンクをはる（Ｓ６１０）。
【００７９】
次に、ＣＰＵ３１は、ＢＯＸ１０から発呼先電話番号とＦＡＸ送信データの送信指示とを受けたか否かを判断する（Ｓ６１２）。Ｓ６１２の判断が否定される場合（Ｓ６１２：Ｎｏ）、ＣＰＵ３１は処理を待機する。一方、Ｓ６１２の判断が肯定される場合（Ｓ６１２：Ｙｅｓ）、ＣＰＵ３１は、受信した発呼先電話番号と等しいＦＡＸ電話番号が手動送信待ちテーブル３４ａにあるか否かを比較する（Ｓ６１４）。受信した発呼先電話番号と等しいＦＡＸ電話番号がある場合（Ｓ６１６：Ｙｅｓ）、そのＦＡＸ電話番号が対応づけられたＦＡＸ送信データを手動送信待ちテーブル３４ａから読み出し、無線通信２０２を介してＢＯＸ１０へＦＡＸ送信データを送出する（Ｓ６２２）。すなわち、子機６０による通話の相手先の外部装置へ送るべきデータとして、手動送信待ちテーブル３４ａに予め準備されていたＦＡＸ送信データを、ＢＯＸ１０へ送出するのである。
【００８０】
ＢＯＸ１０から指定された発呼先電話番号と等しいＦＡＸ電話番号が対応づけられたＦＡＸ送信データが手動送信待ちテーブル３４ａに記憶されていない場合（Ｓ６１６：Ｎｏ）、ＣＰＵ３１は、スキャナ３９を駆動し、所定の原稿載置位置に載置された原稿を自動で読み取り、スキャンデータを作成する（Ｓ６１８）。そして、新たに作成したスキャンデータをＦＡＸ送信データとして、「１」に設定された手動送信フラグと、ＢＯＸ１０から受信した発呼先電話番号に設定されたＦＡＸ電話番号とに対応付け、手動送信待ちフラグ３４ａに保存する（Ｓ６２０）。そして、ＣＰＵ３１は、その保存したＦＡＸ送信データを無線通信２０２を介してＢＯＸ１０へ送出する（Ｓ６２２）。
【００８１】
すなわち、通話の相手先の外部装置宛のＦＡＸ送信データが、手動送信待ちテーブル３４ａに予め準備されている場合、ＢＯＸ１０は、そのＦＡＸ送信データをＭＦＰ３０から受信し、通話の相手先の外部装置へ送信する。一方、通話の相手先の外部装置宛のＦＡＸ送信データが、手動送信待ちテーブル３４ａに予め準備されていない場合、ＢＯＸ１０は、ＭＦＰ３０にＦＡＸ送信データを新たに作成させ、ＭＦＰ３０から受信して、通話の相手先の外部装置へ送信する。
【００８２】
そして、ＦＡＸ送信中であることが、ＢＯＸ１０から通知されると（Ｓ６２４）、ＣＰＵ３１は、パネル４０にメッセージ「ＦＡＸ送信中」を表示する（Ｓ６２６）。そして、ＣＰＵ３１は、ＢＯＸ１０からＦＡＸ送信完了を通知されたか否かを判断し（Ｓ６２８）、Ｓ６２８の判断が否定される間（Ｓ６２８：Ｎｏ）、ＣＰＵ３１は処理を待機する。一方、Ｓ６２８の判断が肯定されると（Ｓ６２８：Ｙｅｓ）、ＣＰＵ３１は、パネル４０にメッセージ「ＦＡＸ送信完了」を表示し（Ｓ６３０）、手動送信待ちテーブル３４ａから、ＢＯＸ１０へ送信済みである該当の項目を削除し（Ｓ６３２）、処理を終了する。
【００８３】
上記第１実施形態では、手動送信待ちテーブル３４ａに記憶されるＦＡＸ送信データのうち、発呼先電話番号と等しいＦＡＸ電話番号が対応づけられているＦＡＸ送信データは全て、ＭＦＰ３０からＢＯＸ１０へ送信され、ＢＯＸ１０から外部装置へ送信されていた。しかしながら、以下に第２実施形態として説明するように、送信すべきＦＡＸ送信データをユーザが子機６０の操作することで選択できるように構成しても良い。なお、この第２実施形態の通信システム１において、第１実施形態の通信システム１と同一の構成については、同一の符号を付して説明を省略する。また、図示は省略するが、第２実施形態のＭＦＰ３０に設けられる手動送信待ちテーブル３４ａにおいて、各ＦＡＸ送信データには、識別のためのＩＤが対応づけられているものとする。
【００８４】
図７（ａ）は、第２実施形態の子機６０が実行するＦＡＸ手動送信処理の一部を示すフローチャートである。この図７（ａ）に示すＳ７２０からＳ７２６の処理は、第１実施形態のＦＡＸ手動送信処理（図５）におけるＳ５３０とＳ５３８との間に挿入される処理である。図７（ｂ）は、第２実施形態のＢＯＸ１０が実行するＦＡＸ送信処理の一部を示すフローチャートである。この図７（ｂ）に示すＳ７１０からＳ７１８の処理は、第１実施形態のＦＡＸ送信処理（図４）におけるＳ３３８とＳ３４０との間に挿入される処理である。図７（ｃ）は、第２実施形態のＭＦＰ３０が実行するＦＡＸモード処理の一部を示すフローチャートである。この図７（ｃ）に示すＳ７０２からＳ７０８の処理は、第１実施形態のＭＦＰ３０が実行するＦＡＸモード処理におけるＳ６１４とＳ６２４との間に挿入される処理である。
【００８５】
まず、図７（ｃ）に示すように、ＭＦＰ３０のＣＰＵ３１は、ＢＯＸ１０から受信した発呼先電話番号と等しいＦＡＸ電話番号が、手動送信待ちテーブル３４ａにあるか否かを比較する（Ｓ６１４）。そして、発呼先電話番号と等しいＦＡＸ電話番号のデータが２件以上あるか否かを判断する（Ｓ７０２）。Ｓ７０２の判断が肯定される場合（Ｓ７０２：Ｙｅｓ）、ＣＰＵ３１は、発呼先電話番号と等しいＦＡＸ電話番号に対応するＩＤの一覧をＢＯＸ１０に通知する（Ｓ７０４）。
【００８６】
ＢＯＸ１０は、ＭＦＰ３０からＩＤ一覧の通知を受信したか否かを判断する（Ｓ７１０）。Ｓ７１０の判断が肯定される場合（Ｓ７１０：Ｙｅｓ）、ＢＯＸ１０のＣＰＵ１１は、受信したＩＤ一覧を子機６０へ通知する（Ｓ７１２）。
【００８７】
一方、子機６０では、ＢＯＸ１０からＩＤ一覧の通知があるか否かを判断する（Ｓ７２０）。Ｓ７２０の判断が肯定される場合（Ｓ７２０：Ｙｅｓ）、子機６０のＣＰＵ６１は、受信したＩＤ一覧をパネル６６に表示する（Ｓ７２２）。そして、パネル６６に表示されたＩＤの中からいずれかを選択する選択入力が、ユーザにより行われたか否かを判断する（Ｓ７２４）。Ｓ７２４の判断が否定される間（Ｓ７２４：Ｎｏ）、子機６０のＣＰＵ６１は処理を待機する。一方、Ｓ７２４の判断が肯定されると（Ｓ７２４：Ｙｅｓ）、子機６０のＣＰＵ６１は、子機６０における選択入力により選択されたＩＤを、ＦＡＸ送信要求ＩＤとしてＢＯＸ１０へ通知する（Ｓ７２６）。そして、ＢＯＸからＦＡＸ送信中通知があったか否かを判断し（Ｓ５３８）、この判断が否定される間（Ｓ５３８：Ｎｏ）、Ｓ７２０から処理を繰り返す。
【００８８】
一方、ＢＯＸ１０では、ＣＰＵ１１が、子機６０からＦＡＸ送信要求ＩＤを受信したか否かを判断する（Ｓ７１４）。Ｓ７１４の判断が否定される間（Ｓ７１４：Ｎｏ）、ＢＯＸ１０のＣＰＵ１１は処理を待機するが、Ｓ７１４の判断が肯定されると（Ｓ７１４：Ｙｅｓ）、ＣＰＵ１１は、子機６０から受信したＦＡＸ送信要求ＩＤをＭＦＰ３０に対して通知する（Ｓ７１６）。
【００８９】
一方、ＭＦＰ３０のＣＰＵ３１は、ＢＯＸ１０からＦＡＸ送信要求ＩＤを受信しない間（Ｓ７０６：Ｎｏ）、処理を待機するが、ＦＡＸ送信要求ＩＤを受信すると（Ｓ７０６：Ｙｅｓ）、ＣＰＵ３１は、ＦＡＸ送信要求ＩＤと等しいＩＤが対応づけられたＦＡＸ送信データをＢＯＸ１０へ送出する（Ｓ７０８）。
【００９０】
ＢＯＸ１０のＣＰＵ１１は、ＭＦＰ３０からＦＡＸ送信データ受信を開始したか否かを判断し（Ｓ７１８）、Ｓ７１８の判断が否定される間（Ｓ７１８：Ｎｏ）、Ｓ７１０から処理を繰り返す。そして、Ｓ７１８の判断が肯定されると（Ｓ７１８：Ｙｅｓ）、ＢＯＸ１０のＣＰＵ１１は、ＦＡＸ送信データを受信し（Ｓ３４０）、その受信したＦＡＸ送信データを外部装置へ送信する（Ｓ３４８）。すなわち、子機６０において選択されたＩＤに対応づけられたＦＡＸ送信データを外部装置へ送信する。
【００９１】
なお、発呼先電話番号と等しいＦＡＸ電話番号が対応づけられたＦＡＸ送信データが手動送信待ちテーブル３４ａに１件記憶されている場合、または１件も記憶されていない場合（Ｓ７０２：Ｎｏ）、ＭＦＰ３０のＣＰＵ３１は、第１実施形態で説明したＳ６１６以降の処理を実行するので、ＩＤ一覧をＢＯＸ１０へ通知しない。また、ＢＯＸ１０においては、Ｓ７１０の判断が否定され（Ｓ７１０：Ｎｏ）、Ｓ７１２からＳ７１６のステップがスキップされるので、ＩＤ一覧が子機６０へ通知されない。また、子機６０においては、Ｓ７２０の判断が否定され（Ｓ７２０：Ｎｏ）、Ｓ７２２からＳ７２６のステップがスキップされるので、子機６０においてＩＤの選択の通知は行われない。したがって、通信システム１における通信処理の負荷を軽減することができる。
【００９２】
第２実施形態によれば、複数件のＦＡＸ送信データのうち、通話の相手先である外部装置に送信すべき送信データを、子機６０において、ユーザに選択させることができるので、複数人で通信システム１を共同使用する場合においても、各ユーザが所望のＦＡＸ送信データを送信することができる。
【００９３】
上記実施形態において、ＤＣＬ送受信部２０およびＤＣＬアンテナ部２１が第１接続手段の一例に相当し、ＭＦＰ３０が処理装置の一例に相当し、無線ＬＡＮ送受信部１６および無線ＬＡＮアンテナ部１７が第２接続手段の一例に相当し、ＢＯＸ１０が通信装置の一例に相当する。電話回線網１００が通信網の一例に相当し、モデム１８および電話回線接続部１９が第３接続手段および通信制御手段の一例に相当する。Ｓ３１０の処理を実行するＣＰＵ１１が中継手段の一例に相当する。Ｓ３３８の処理を実行するＣＰＵ１１が要求手段の一例に相当する。Ｓ３４０を実行するＣＰＵ１１が受信手段の一例に相当する。Ｓ３４８を実行するＣＰＵ１１が送信手段の一例に相当する。Ｓ３２６を実行するＣＰＵ１１がメッセージ送出手段の一例に相当し、Ｓ３４４の処理を実行するＣＰＵ１１がメッセージ変更手段の一例に相当する。Ｓ６１８を実行するＣＰＵ３１が新規データ作成手段の一例に相当し、Ｓ６２２を実行するＣＰＵ３１が送出手段の一例に相当する。ＦＡＸ送信データが送信データの一例に相当し、発呼先電話番号およびＦＡＸ電話番号が特定データの一例に相当し、手動送信待ちテーブル３４ａがメモリの一例に相当する。図７のＳ７１２を実行するＣＰＵ１１が、通知手段の一例に相当する。ＩＤが識別データの一例に相当する。ＩＤ一覧がリストの一例に相当する。Ｓ３０４，Ｓ３０６の処理を実行するＣＰＵ１１が、第２接続停止手段の一例に相当する。Ｓ３２４，Ｓ３２８，Ｓ３３０の処理を実行するＣＰＵ１１が切替手段の一例に相当する。Ｓ３２４の処理を実行するＣＰＵ１１が中継停止手段の一例に相当し、Ｓ３３０を実行するＣＰＵ１１が第２接続判断手段の一例に相当し、Ｓ３３６を実行するＣＰＵ１１が通話再開手段の一例に相当する。
【００９４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９５】
また、上記実施形態では、処理装置の一例であるＭＦＰ３０がスキャナ３９を備え、原稿をスキャナ３９により読み取ってＦＡＸ送信データを生成し、ＢＯＸ１０に送信するものであったが、処理装置は、スキャナを備えないものであっても良く、例えば、装着されたメモリカードからデータを読み込み、その読み込んだデータに基づきＦＡＸ送信データを生成し、ＢＯＸ１０へ送信するものであっても良い。
【００９６】
また、上記実施形態では、ＦＡＸ電話番号が特定データの一例であったが、例えば、特定データは、宛先の氏名等、他の情報であっても良い。
【００９７】
また、上記実施形態では、手動送信待ちテーブル３４ａに記憶されているＦＡＸ送信データのうち、通信可能な接続状態が維持されている外部装置のＦＡＸ電話番号と等しいＦＡＸ電話番号が対応づけられているＦＡＸ送信データのみが、ＭＦＰ３０からＢＯＸ１０へ送信され、ＢＯＸ１０から外部装置へ送信されていた。しかしながら、これに代えて、手動送信待ちテーブル３４ａに記憶されている全てのＦＡＸ送信データを、ＭＦＰ３０からＢＯＸ１０へ送信し、ＢＯＸ１０から外部装置へ送信するように構成しても良い。
【００９８】
また、上記実施形態では、ＭＦＰ３０とＢＯＸ１０とが別体に構成されていたが、これらが一体的に構成されている場合にも本発明は適用可能である。その場合は、スキャナ３９が処理装置の一例に相当し、ＭＦＰ３０とＢＯＸ１０とを一体化した装置が通信装置の一例に相当する。
【００９９】
また、上記実施形態では、通信網の一例として電話回線網１００を例示していたが、通信網は、例えばＩＳＤＮ回線、ＣＡＴＶ回線、インターネットであっても良く、また、通信システム１は、音声データをパケットで送受信するいわゆるＩＰ電話システムであっても良い。
【０１００】
また、ＭＦＰ３０は、手動送信待ちテーブル３４ａを備えず、ＢＯＸ１０からＦＡＸ送信データの要求を受けた場合は、スキャナ３９により原稿の読み取りを行ってＦＡＸ送信データを作成し、ＢＯＸ１０へ送出するように構成されても良い。また、ＭＦＰ３０には、手動送信待ちテーブル３４ａとは別に、すぐに送出することを望まないＦＡＸ送信データを記憶するテーブル（例えば編集中テーブル）が設けられていても良い。そして、ＢＯＸ１０からＦＡＸ送信データの要求を受けた場合、手動送信待ちテーブル３４ａに記憶されたＦＡＸ送信データを送信すること、あるいはＦＡＸ送信データのＩＤを通知することに加えて、編集中テーブルに記憶されたＦＡＸ送信データのＩＤ等をＢＯＸ１０へ通知するように構成しても良い。また、上記実施形態では、手動送信待ちテーブル３４ａはＭＦＰ３０のＥＥＰＲＯＭ３４に設けられていたが、ＭＦＰ３０がカードスロットを備え、カードスロットに装着されたメモリからデータを読み出し可能に構成されている場合には、手動送信待ちテーブル３４ａは、当該メモリに記憶されていても良い。
【０１０１】
また、上記実施形態において、ＭＦＰ３０は、ＢＯＸ１０から発呼先電話番号を指定されると、その発呼先電話番号と等しいＦＡＸ電話番号に対応するＦＡＸ送信データを送信し、またはＩＤを通知していた。これに代えて、ＭＦＰ３０は、指定された発呼先電話番号を、パネル４０に表示出力するものであっても良い。このようにすれば、例えば、ＭＦＰ３０において、ユーザは、パネル４０に表示出力された発呼先電話番号を視認し、宛先を再確認した上で、スキャナ３９により原稿を読み込むなど、適切なＦＡＸ送信データをＭＦＰ３０からＢＯＸ１０へ送出することができる。
【０１０２】
また、上記実施形態において、通信システム１に、複数台の子機６０が含まれる場合には、各子機６０を識別するための子機ＩＤが、各子機６０に割り当てられていても良い。また、ＢＯＸ１０は、発呼指示の送信元の子機（すなわち通話を行った子機）の子機ＩＤを指定して、ＭＦＰ３０にＦＡＸ送信データ送信要求を送信しても良い。一方、ＭＦＰ３０においては、各ＦＡＸ送信データに、子機ＩＤを対応づけて手動送信待ちテーブル３４ａに登録しておき、子機ＩＤをＢＯＸ１０から受信した場合には、受信した子機ＩＤに対応づけられているＦＡＸ送信データをＢＯＸ１０へ送信し、またはＦＡＸ送信データのＩＤをＢＯＸ１０へ通知するように構成すれば良い。このようにすれば、送信できるＦＡＸ送信データを子機６０毎に区別して管理することができ、複数人で通信システム１を共同使用する場合であっても利便性が良い。
【０１０３】
また、上記実施形態のＭＦＰ３０に設けられるスキャナ３９は、自動原稿送り装置を備え、複数枚の原稿を読み取り可能に構成されても良いが、自動原稿送り装置を備えない構成であっても良い。その場合、子機６０は、ＦＡＸ送信指示が行われた後、ユーザに原稿の枚数を入力させ、ユーザにより入力された原稿の枚数を、ＢＯＸ１０を介して、ＭＦＰ３０へ通知する構成とされても良い。さらに、子機６０は、ユーザにより入力された原稿の枚数が複数頁である場合は、ＭＦＰ３０での操作を促すメッセージ、例えば「２頁目以降はＭＦＰで設定して下さい」をパネル６６に表示出力するように構成されても良い。一方、ＭＦＰ３０は、通知される原稿の枚数が１頁であれば、所定位置に載置された原稿を読み取り、ＦＡＸ送信データとしてＢＯＸ１０に送出し、複数頁であれば、１枚スキャンする毎に、次の原稿を載置するようユーザに促すメッセージをパネル４０に表示出力するように構成されても良い。このようにすれば、ＭＦＰ３０において、読み取るべき原稿の枚数に誤りが生じることを抑制できる。また、１枚の原稿をスキャンさせる場合であれば、ユーザがＭＦＰ３０の設置位置まで移動する必要がなく、利便性が良い。
【０１０４】
また、スキャナ３９に自動原稿送り装置が設けられている場合、自動原稿送り装置の所定の原稿載置位置に原稿が載置されていない場合、ＭＦＰ３０は、ＢＯＸ１０へエラー通知をし、さらに、ＢＯＸ１０から子機６０へエラー通知し、子機６０は、エラーの発生をユーザに報知するように構成しても良い。このようにすれば、ＭＦＰ３０の設置位置から離れた位置でユーザが通話を行っていても、ＭＦＰ３０において自動原稿送り装置に原稿を載置していないというミスに気づくことができる。
【０１０５】
また、上記実施形態のＦＡＸ送信処理（図４）では、ＢＯＸ１０のＣＰＵ１１は、ＭＦＰ３０から送られてくるＦＡＸ送信データの受信を開始した後（Ｓ３４０）、ＦＡＸ送信中であることを子機６０へ通知していた（Ｓ３４２）。これに代えて、ＦＡＸ送信中であることを子機６０へ通知した後、ＭＦＰ３０から送られてくるＦＡＸ送信データの受信を開始するように、ＦＡＸ送信処理（図４）を構成しても良い。このようにすれば、ＢＯＸ１０がＭＦＰ３０からのＦＡＸ送信データを受信する際における、無線ＬＡＮ送受信部１６とＤＣＬ送受信部２０との間の電波干渉により、ＢＯＸ１０から子機６０への通知が失敗してしまうことを回避できる。
【０１０６】
また、上記実施形態において、ＢＯＸ１０のＣＰＵ１１は、ＭＦＰ３０から送られてくるＦＡＸ送信データの受信を完了した後に、外部装置へのＦＡＸ送信データの送信を開始していた。これに代えて、ＭＦＰ３０から送られてくるＦＡＸ送信データの一部を受信したら、外部装置への送信を開始し、ＦＡＸ送信データの受信と送信とを同時進行するように構成してもよい。このようにすれば、ＦＡＸ送信データ送信開始までの待ち時間を減らすことができる。また、この場合において、外部装置へＦＡＸ送信データを送信する途中に、モデム１８の通信速度よりも無線ＬＡＮ送受信部１６のスループットが低くなった場合は、モデム１８の通信速度を、無線ＬＡＮ送受信部１６のスループットよりも低減すれば良い。
【０１０７】
また、ＦＡＸ送信データの送信中に、外部装置側で回線が切断されるなどの理由でＦＡＸ送信に失敗した場合、ＢＯＸ１０は、一定時間後に、手動送信待ちテーブル３４ａから該当のＦＡＸ送信データを再度取得し、外部装置へ再送するように構成されても良い。また、手動送信待ちテーブル３４ａに保存されているデータを、子機６０から確認し、不要なデータを削除できるように構成しても良い。
【０１０８】
また、上記第２実施形態では、ＢＯＸ１０から子機６０へは、各ＦＡＸ送信データのＩＤが通知されていたが、例えば、各ＦＡＸ送信データ自体を通知しても良いし、あるいは、各ＦＡＸ送信データの件名や作成日時やサムネイルなどを識別データとして通知するように構成しても良い。
【０１０９】
また、上記第２実施形態では、発呼先電話番号と等しいＦＡＸ電話番号が対応づけられたＦＡＸ送信データが手動送信待ちテーブル３４ａに複数件記憶されている場合（Ｓ７０２：Ｙｅｓ）、ＭＦＰ３０からＢＯＸ１０へＩＤ一覧を送っていたが、これに代えて、発呼先電話番号とＦＡＸ電話番号とが等しいか否かに関わらず、手動送信待ちテーブル３４ａに複数件のＦＡＸ送信データが記憶されている場合、ＩＤ一覧を通知するように構成しても良い。
【符号の説明】
【０１１０】
１          通信システム
１０        ＢＯＸ
３０        ＭＦＰ
６０        子機
１６        無線ＬＡＮ送受信部
１７        無線ＬＡＮアンテナ部
１８        モデム
１９        電話回線接続部
２０        ＤＣＬ送受信部
２１        ＤＣＬアンテナ部
１００      電話回線網
【図１】
2011114748.tif 000003
【図２】
2011114748.tif 000004
【図３】
2011114748.tif 000005
【図４】
2011114748.tif 000006
【図５】
2011114748.tif 000007
【図６】
2011114748.tif 000008
【図７】
2011114748.tif 000009